(57)【要約】【課題】可動ルーバー材を閉鎖した状態において日射や雨を確実に遮断することができる遮蔽装置および屋根構造を提供すること。【解決手段】ルーバー材６と側桁５との隙間を見込み方向上方から覆うカバー部材８がルーバー材６同士を連結して設けられているので、ルーバー材６と側桁５との隙間から日射や雨が入り込むことが防止でき、ルーバー材６を閉鎖位置に回動させた状態において、上下の空間を確実に遮蔽することができる。また、ルーバー材６の開放に伴ってカバー部材８が上方に回動することで、カバー部材８が側桁５等に当接せず、ルーバー材６の開閉を阻害しないようにできる。【選択図】図５
2010121316.tif 000002
【特許請求の範囲】
【請求項１】
所定間隔離れて対向するとともに互いに略平行に延びる一対の側枠と、
前記一対の側枠間に渡って支持されるとともに互いに略平行に設けられる複数のルーバー材とを備え、
前記複数のルーバー材は、それぞれ当該ルーバー材の長手方向に沿った回転軸回りに回動可能に前記一対の側枠に支持され、隣り合うルーバー材同士が見込み方向に略重なる閉鎖位置と、隣り合うルーバー材同士の間に隙間が形成される開放位置との間を開閉可能に構成され、
前記複数のルーバー材の長手方向両端部には、前記側枠に沿って延びるとともに、当該ルーバー材と側枠との隙間を見込み方向から覆うカバー部材が設けられている遮蔽装置。
【請求項２】
前記ルーバー材が前記閉鎖位置に回動された状態において、当該ルーバー材と前記カバー部材とが第１止水材を介して当接され、前記側枠と前記カバー部材とが第２止水材を介して当接される請求項１に記載の遮蔽装置。
【請求項３】
前記ルーバー材における断面方向の略中間位置に前記回転軸が設けられ、当該ルーバー材における断面方向の一方端近傍または他方端近傍に前記カバー部材が連結されている請求項１または請求項２に記載の遮蔽装置。
【請求項４】
請求項１から請求項３のいずれかに記載の遮蔽装置を備えた屋根構造であって、
前記複数のルーバー材が略水平に延びて設けられるとともに、当該ルーバー材には、その長手方向に沿って延びる樋部が設けられ、前記側枠には、前記樋部の長手方向端部下方に位置する側枠樋部が設けられ、前記カバー部材は、当該ルーバー材と側枠との隙間を上方から覆って設けられている屋根構造。
【請求項５】
前記樋部は、前記ルーバー材における断面方向の一方端に設けられ、当該ルーバー材における断面方向の他方端には、閉鎖位置に回動された状態において隣り合うルーバー材の樋部の上方に重なる延出片が設けられ、
前記ルーバー材が前記閉鎖位置に回動された状態において、隣り合う一方のルーバー材における前記樋部と、他方のルーバー材における前記延出片とが第３止水材を介して当接可能に構成されている請求項４に記載の屋根構造。
【発明の詳細な説明】
【技術分野】
【０００１】
本発明は、遮蔽装置および屋根構造に関し、詳しくは、一対の側枠と開閉可能な複数のルーバー材とを備えた遮蔽装置および屋根構造に関する。
【背景技術】
【０００２】
従来、建物開口部の屋外側や透光屋根の上方に設置されて日差しを遮ったり取り入れたりするために、複数のルーバー材が開閉可能に設けられた可動式のルーバー装置やブラインドが提案されている（例えば、特許文献１参照）。
特許文献１に記載されたブラインドは、左右の側枠（軸受け板）と、これらの側枠間に渡って支持される複数のルーバー材（開閉翼）とを備え、各ルーバー材の回動軸に設けたピニオンギアと、側枠に沿って進退移動するラックとが噛合することで、各ルーバー材が連動して回動し開閉操作できるように構成されている。
【０００３】
【特許文献１】実開昭６０−１６８７９３号公報
【発明の開示】
【発明が解決しようとする課題】
【０００４】
しかしながら、従来のブラインドでは、各ルーバー材の長手方向両端部と側枠との間に隙間が形成されているため、ルーバー材を閉鎖位置にしたとしても、隙間から日射が入ったり雨が漏れ落ちたりするなど、日射や雨を適切に遮断することが難しいという問題がある。
【０００５】
本発明の目的は、可動ルーバー材を閉鎖した状態において日射や雨を確実に遮断することができる遮蔽装置および屋根構造を提供することにある。
【課題を解決するための手段】
【０００６】
本発明の遮蔽装置は、所定間隔離れて対向するとともに互いに略平行に延びる一対の側枠と、前記一対の側枠間に渡って支持されるとともに互いに略平行に設けられる複数のルーバー材とを備え、前記複数のルーバー材は、それぞれ当該ルーバー材の長手方向に沿った回転軸回りに回動可能に前記一対の側枠に支持され、隣り合うルーバー材同士が見込み方向に略重なる閉鎖位置と、隣り合うルーバー材同士の間に隙間が形成される開放位置との間を開閉可能に構成され、前記複数のルーバー材の長手方向両端部には、前記側枠に沿って延びるとともに、当該ルーバー材と側枠との隙間を見込み方向から覆うカバー部材が設けられていることを特徴とする。
【０００７】
以上の本発明によれば、ルーバー材と側枠との隙間を見込み方向から覆うカバー部材がルーバー材同士を連結して設けられているので、ルーバー材と側枠との隙間から日射や雨が入り込むことが防止でき、ルーバー材を閉鎖位置に回動させた状態において、当該遮蔽装置の見込み方向一方側と他方側とを確実に遮蔽することができる。
【０００８】
一方、本発明の屋根構造は、前記遮蔽装置を備えた屋根構造であって、前記複数のルーバー材が略水平に延びて設けられるとともに、当該ルーバー材には、その長手方向に沿って延びる樋部が設けられ、前記側枠には、前記樋部の長手方向端部下方に位置する側枠樋部が設けられ、前記カバー部材は、当該ルーバー材と側枠との隙間を上方から覆って設けられていることを特徴とする。
このような本発明によれば、ルーバー材に樋部が設けられていることで、ルーバー材の上面に降った雨等を樋部で受け止めることで、下方への雨の落下を防止することができる。さらに、側枠に側枠樋部が設けられていることで、ルーバー材の樋部で受け止めた雨水を側枠樋部で集めて排水することができる。そして、ルーバー材と側枠との隙間を上方から覆ってカバー部材が設けられていることで、この隙間へ雨が直接降り込むことが防止でき、当該屋根構造の下方への雨水の浸入をより一層確実に防止することができる。
【発明を実施するための最良の形態】
【０００９】
以下、本発明の実施形態を図面に基づいて説明する。
図１は、本発明の実施形態に係る屋根構造を備えたカーポート１を示す斜視図である。図２は、カーポート１の動作を示す斜視図である。
図１および図２において、カーポート１は、屋外に設けられて駐車空間の上方を覆うものであって、地面から立設された４本の支柱２と、これらの支柱２のうち隣り合う２本の支柱２の上端間を連結する前枠としての前桁３と、この前桁３と平行に他の２本の支柱２の上端間を連結する後枠としての後桁４と、前桁３および後桁４と直交して２本の支柱２の上端間を連結する一対の側枠としての側桁５と、これら一対の側桁５間に渡って支持される複数のルーバー材６とを備えて構成されている。４本の支柱２のうち、前桁３側の２本の支柱２が後桁４側の２本の支柱２よりも長く形成され、すなわち一対の側桁５が後桁４に向かって下がり勾配となる傾斜を有して設置されている。複数のルーバー材６は、互いに平行に設けられるとともに、それぞれ当該ルーバー材６の長手方向に沿ったルーバー回転軸６３回りに回動可能に側桁５に支持され、図１に示すように、各ルーバー材６が略水平になった閉鎖位置と、図２に示すように、各ルーバー材６傾斜して互いの間に隙間が形成される開放位置との間を開閉可能に構成されている。
【００１０】
次に、図３〜図６に基づき、屋根構造の各部を詳しく説明する。ここで、図３は、屋根構造を示す平面図である。図４および図５は、それぞれ屋根構造を示す断面図であり、図４は、図３に矢視IV−IV線で示す断面図であり、図５は、図３に矢視Ｖ線で示す断面図である。
図３および図４に示すように、前桁３における一方の側桁５近傍には、ルーバー材６を開閉操作するための開閉操作部７が設けられている。開閉操作部７は、前桁３の水平延出部３１の下側に固定される操作部本体７１と、この操作部本体７１から下方に延びて適宜な工具によって回転操作される操作ロッド７２と、操作部本体７１から側桁５に向かって延びる駆動ロッド７３と、この駆動ロッド７３の端部に固定される偏心リンク７４と、この偏心リンク７４の先端に回転自在に連結される駆動リンク７５とを有して構成されている。操作部本体７１の内部には、操作ロッド７２の回転を駆動ロッド７３に伝達するウォームギア等が設けられ、操作ロッド７２を回転操作することで、駆動ロッド７３が回転して偏心リンク７４が揺動し、この偏心リンク７４の揺動に伴って駆動リンク７５が側桁５に沿って進退移動するように構成されている。
【００１１】
ルーバー材６は、図６〜図９にも示すように、アルミ形材製で長尺状かつ断面中空状のルーバー材本体６１と、このルーバー材本体６１の長手方向端部を塞ぐ側端板６２と、この側端板６２に固定されて突出するルーバー回転軸６３と、このルーバー回転軸６３の先端側に固定されるルーバーリンク６４とを有して構成されている。そして、ルーバー回転軸６３が側桁５のルーバー支持部５１に軸支されることで、ルーバー材６がルーバー回転軸６３回りに回転可能になっている。さらに、各ルーバー材６におけるルーバーリンク６４の先端側には、側桁５に沿って延びる連動リンク６５が回動自在に連結され、これにより各ルーバー材６が連動して回動するように構成されている。また、最も前桁３側のルーバー材６におけるルーバーリンク６４の先端側には、開閉操作部７の駆動リンク７５が連結されており、開閉操作部７の操作によって各ルーバー材６が連動して開閉できるように構成されている。
【００１２】
また、ルーバー材６は、図４、図６および図７に示すように、ルーバー材本体６１の断面方向において水下側である後桁４側の端部（一方端）に樋部６６を有し、水上側である前桁３側の端部（他方端）に延出片６７を有して形成されている。樋部６６は、ルーバー材本体６１の底面側から突出するとともに立ち上がる立上片６６１を有して上方に開口して形成されている。また、延出片６７は、ルーバー材６が閉鎖位置に回動された状態（図６の状態）において、隣り合うルーバー材の樋部６６の上方に重なって位置するとともに、延出片６７の下面側には、樋部６６の立上片６６１に当接可能な第３止水材６７１が取り付けられ、延出片６７先端部の下面側にも、樋部６６の基端側に設けられる突片６６２に当接可能な第３止水材６７２が取り付けられている。このようなルーバー材６によれば、ルーバー材本体６１の上面に降った雨水を先ず第３止水材６７２で阻止するとともに、これを通り抜けた雨水を樋部６６で受け止めて下方に落下しないようにでき、受け止めた雨水を樋部６６に沿って長手方向両端部に導くことができる。さらに、樋部６６で受け止めた雨水が立上片６６１を越えようとしても、第３止水材６７１で雨水を阻止することができ、ルーバー材６よりも下方への雨水の浸入を防止することができる。
【００１３】
また、側桁５には、図５に示すように、ルーバー材本体６１の長手方向端部下方位置まで延びる側桁樋部５２が設けられており、ルーバー材６の樋部６６に沿って端部に導かれた雨水が側桁樋部５２に落下して集水されるようになっている。また、後桁４には、上方に開口した後桁樋部４１が形成されており、ルーバー材６の上面を流れてきた雨水が後桁樋部４１に落下し、後桁樋部４１に沿って側桁５側に流れてきた雨水が縦樋４２を介して側桁樋部５２に集水されるようになっている。このように側桁樋部５２に集水された雨水は、側桁５における後桁４側の端部に設けられた縦樋５３を介して適宜に排水されるようになっている。従って、ルーバー材６の上面に降った雨は、その下方に落下することなく、後桁樋部４１や側桁樋部５２に集水されてから排水されるので、ルーバー材６よりも下方への雨水の浸入をさらに確実に防止することができる。
【００１４】
以上のようなルーバー材６の長手方向両端部には、当該ルーバー材６同士を連結して側桁５に沿って延びるとともに、当該ルーバー材６と側桁５との隙間を上方（見込み方向）から覆うカバー部材８が設けられている。このカバー部材８は、図５に示すように、ルーバー材本体６１の長手方向端部上方から側桁５の上方まで延びるカバー上面部８１と、このカバー上面部８１の中間位置から下方に延びるカバー垂下片部８２とを有して断面略Ｔ字形に形成されている。そして、カバー上面部８１におけるルーバー材６側の端部下面には、第１止水材８３が取り付けられ、カバー上面部８１における側桁５側の端部下面には、第２止水材８４が取り付けられている。このようなカバー部材８は、図７および図９に示すように、カバー垂下片部８２を貫通する連結ピン８５を介して、各ルーバー材６の側端板６２に回動自在に連結されている。この連結ピン８５の位置は、各ルーバー材６の側端板６２における前桁３側の端部であり、ルーバー材６の延出片６７の下方に設けられている。
【００１５】
そして、図１、図４および図５に示すように、ルーバー材６が閉鎖位置に回動された状態において、カバー部材８は、前桁３の水平延出部３１から後桁４の後桁樋部４１に渡ってルーバー材６と側桁５との隙間を覆って設けられ、図２、図４の仮想線（二点鎖線）、図７および図９に示すように、ルーバー材６が開放位置に回動された状態において、カバー部材８は、各ルーバー材６に連動して上方かつ後桁４側に回動するようになっている。そして、ルーバー材６を閉鎖した状態で、カバー部材８の第１止水材８３は、ルーバー材本体６１の上面に当接し、第２止水材８４は、側桁５の上面に当接することで、ルーバー材６の長手方向端部と側桁５との隙間に雨水や日射が入らないように構成されるとともに、ルーバー材６の開放に伴ってカバー部材８が上方に回動することで、カバー部材８が側桁５や前桁３、後桁４等に当接せず、ルーバー材６の開閉を阻害しないようになっている。
【００１６】
なお、本発明は、前記実施形態に限定されるものではなく、本発明の目的が達成できる以下の構成を備えていればよい。
（１）本発明の遮蔽装置は、所定間隔離れて対向するとともに互いに略平行に延びる一対の側枠と、前記一対の側枠間に渡って支持されるとともに互いに略平行に設けられる複数のルーバー材とを備え、前記複数のルーバー材は、それぞれ当該ルーバー材の長手方向に沿った回転軸回りに回動可能に前記一対の側枠に支持され、隣り合うルーバー材同士が見込み方向に略重なる閉鎖位置と、隣り合うルーバー材同士の間に隙間が形成される開放位置との間を開閉可能に構成され、前記複数のルーバー材の長手方向両端部には、前記側枠に沿って延びるとともに、当該ルーバー材と側枠との隙間を見込み方向から覆うカバー部材が設けられていればよい。
【００１７】
以上の遮蔽装置によれば、ルーバー材と側枠との隙間を見込み方向から覆うカバー部材がルーバー材同士を連結して設けられているので、ルーバー材と側枠との隙間から日射や雨が入り込むことが防止でき、ルーバー材を閉鎖位置に回動させた状態において、当該遮蔽装置の見込み方向一方側と他方側とを確実に遮蔽することができる。
【００１８】
（２）本発明の遮蔽装置では、前記ルーバー材が前記閉鎖位置に回動された状態において、当該ルーバー材と前記カバー部材とが第１止水材を介して当接され、前記側枠と前記カバー部材とが第２止水材を介して当接されることが好ましい。
このような構成によれば、ルーバー材とカバー部材とが第１止水材を介して当接され、側枠とカバー部材とが第２止水材を介して当接されることで、これら各部材の間からの雨水の浸入を阻止することができ、より確実な遮蔽状態を構成することができる。
【００１９】
（３）本発明の遮蔽装置では、前記ルーバー材における断面方向の略中間位置に前記回転軸が設けられ、当該ルーバー材における断面方向の一方端近傍または他方端近傍に前記カバー部材が連結されていることが好ましい。
このような構成によれば、ルーバー材における断面方向の略中間位置に回転軸が設けられた場合に、開放されたルーバー材の断面方向一方端および他方端がそれぞれ見込み方向逆向きに突出するように回動することとなるが、このようなルーバー材の一方端近傍または他方端近傍にカバー部材が連結されていることで、ルーバー材の回動に連動してカバー部材も見込み方向に移動することができる。従って、ルーバー材の回動に伴ってカバー部材が側枠にぶつかることが防止でき、ルーバー材の開閉操作を円滑に実施することができる。
【００２０】
（４）本発明の屋根構造は、前記遮蔽装置を備えた屋根構造であって、前記複数のルーバー材が略水平に延びて設けられるとともに、当該ルーバー材には、その長手方向に沿って延びる樋部が設けられ、前記側枠には、前記樋部の長手方向端部下方に位置する側枠樋部が設けられ、前記カバー部材は、当該ルーバー材と側枠との隙間を上方から覆って設けられていればよい。
このような本発明によれば、ルーバー材に樋部が設けられていることで、ルーバー材の上面に降った雨等を樋部で受け止めることで、下方への雨の落下を防止することができる。さらに、側枠に側枠樋部が設けられていることで、ルーバー材の樋部で受け止めた雨水を側枠樋部で集めて排水することができる。そして、ルーバー材と側枠との隙間を上方から覆ってカバー部材が設けられていることで、この隙間へ雨が直接降り込むことが防止でき、当該屋根構造の下方への雨水の浸入をより一層確実に防止することができる。
【００２１】
（５）本発明の屋根構造では、前記樋部は、前記ルーバー材における断面方向の一方端に設けられ、当該ルーバー材における断面方向の他方端には、閉鎖位置に回動された状態において隣り合うルーバー材の樋部の上方に重なる延出片が設けられ、前記ルーバー材が前記閉鎖位置に回動された状態において、隣り合う一方のルーバー材における前記樋部と、他方のルーバー材における前記延出片とが第３止水材を介して当接可能に構成されていることが好ましい。
このような構成によれば、ルーバー材における断面方向の一方端に樋部が設けられ、他方端に延出片が設けられ、この延出片が隣り合うルーバー材の樋部の上方に重なるとともに、この樋部と第３止水材を介して当接することで、ルーバー材が閉鎖位置に回動された状態において、ルーバー材同士を水密に接続することができ、その間からの雨水の浸入を確実に阻止することができる。
【００２２】
また、以下に示すような変形等も本発明に含まれる。
例えば、前記実施形態においては、カーポート１の屋根構造について説明したが、本発明の遮蔽装置としては、カーポート等に限らず、任意の場所に設置される屋根に用いるものでよく、また屋根以外の壁として建物の開口部前方に設置されるものなどであってもよい。
さらに、前記実施形態では、カバー部材８に第１止水材８３および第２止水材８４を設け、これらの止水材をそれぞれルーバー材６および側桁５に当接させるように構成したが、このような構成に限らず、第１止水材８３および第２止水材８４の両方またはいずれか一方を省略してもよい。
さらに、ルーバー材６の断面形状や回転軸の取付位置、連動機構（連動リンク）や開閉操作部７などは、前記実施形態に限定されるものではなく、任意の形状や構造が利用可能である。
また、前記実施形態では、隣り合うルーバー材における延出片６７の２箇所に樋部６６に当接する第３止水材６７１，６７２を設けたが、第３止水材としては、第３止水材６７１，６７２のうちのいずれか一方であってもよく、また、第３止水材を樋部６６側に設けて延出片６７に当接させるように構成してもよい。
【００２３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００２４】
【図１】本発明の実施形態に係る屋根構造を示す斜視図である。
【図２】前記屋根構造の動作を示す斜視図である。
【図３】前記屋根構造を示す平面図である。
【図４】前記屋根構造を示す断面図である。
【図５】前記屋根構造を示す断面図である。
【図６】前記屋根構造におけるルーバー材を示す断面図である。
【図７】前記ルーバー材の開放状態を示す断面図である。
【図８】前記屋根構造の要部を示す分解斜視図である。
【図９】前記屋根構造の要部を示す分解斜視図である。
【符号の説明】
【００２５】
５…側桁（側枠）、６…ルーバー材、８…カバー部材、５２…側桁樋部（側枠樋部）、６３…ルーバー回転軸、６６…樋部、６７…延出片、８３…第１止水材、８４…第２止水材、６７１，６７２…第３止水材。
【図１】
2010121316.tif 000003
【図２】
2010121316.tif 000004
【図３】
2010121316.tif 000005
【図４】
2010121316.tif 000006
【図５】
2010121316.tif 000007
【図６】
2010121316.tif 000008
【図７】
2010121316.tif 000009
【図８】
2010121316.tif 000010
【図９】
2010121316.tif 000011